【事件の表示】
　特願２００８−３１７３４８「タッチパネル及びそれを利用するディスプレイ」拒絶査定不服審判事件〔平成２１年　７月３０日出願公開、特開２００９−１６９９４４〕について、次のとおり審決する。
【結　論】
　本件審判の請求は、成り立たない。
【理　由】
１．手続の経緯・本願発明
 　
　本件は、平成２０年１２月１２日（パリ条約による優先権主張、２００７年１２月１２日、中国）の出願であって、平成２１年１２月２２日付けで拒絶理由が通知され、平成２２年３月１２日付けで手続補正がなされ、同年６月２８日付けで最後の拒絶理由が通知され、同年９月２８日付けで手続補正がなされ、平成２３年３月１５日付けで前記平成２２年９月２８日付け手続補正の却下の決定がなされるとともに拒絶理由が通知され、平成２３年６月２１日付けで手続補正がなされたが、同年７月６日付けで拒絶査定がなされ、これに対して、同年１１月１４日に拒絶査定不服の審判が請求され、平成２５年１月１１日付けで当審で拒絶理由が通知され、同年４月１２日付けで手続補正がなされたものである。
　
　そして、本願の特許請求の範囲の請求項１に係る発明（以下、「本願発明」という。）は、平成２５年４月１２日付け手続補正書の特許請求の範囲の請求項１に記載された次のとおりのものと認める。
　
　「【請求項１】
　基板と、前記基板に設置された透明な導電構造体と、それぞれ前記透明な導電構造体に接続され、相互に所定の距離で隔てて設置された少なくとも二つの電極と、を含み、
　前記二つの電極の少なくとも一方は、一つのカーボンナノチューブ構造体又は積層させた複数のカーボンナノチューブ構造体を含み、
　前記カーボンナノチューブ構造体が、複数のカーボンナノチューブフィルムからなり、
　前記カーボンナノチューブフィルムがカーボンナノチューブのみから成り、
　前記複数のカーボンナノチューブフィルムが、隙間がなく平行に並列し、
　一枚の前記カーボンナノチューブフィルムの長さは３０ｃｍであることを特徴とするタッチパネル。」
　
２．引用例等
　
　当審の拒絶理由で引用した本願の優先日前に頒布された国際公開第２００６／００３２４５号（以下、「引用例１」という。）には、図面とともに以下の事項が記載されている。
　
ａ）「The present invention relates to a sensor product. The sensor product can be used in computer user interfaces, occupant or passenger monitoring systems, e.g. in keyboards, smart air bag systems, and floor constructions.」（第１頁第５〜８行の記載。）（当審訳：本発明は、センサ製品に関するものである。本センサ製品は、例えばキーボードなどのコンピュータ用ユーザインターフェース、搭乗者または乗客モニタシステム、スマートエアバッグシステム、および床構造体で使用することができる。）
　
 ｂ）「A critical component of any intelligent environment is a user interface. All user interfaces, such as keyboard, mouse, touchpad and touch screen, have their pros and cons. Most of the user interface devices are typically relatively fragile and expensive, have limited scalability for large areas, and are poorly applicable for use outdoors or in harsh environments. Charge source tomography (CST) is a method for sensing an interaction between a user and flat or curved surfaces which are made sensitive by an addition of a conformable resistive sheet that is able to create electric fields. The CST-based user interface device comprises a resistive sheet, peripheral electrodes, and a current/voltage controller. During operation, a controller applies voltage patterns to points on the perimeter of the resistive sheet and measures the currents that arise as a consequence. The user appears in this system as a capacitive load localized to some region of the resistive sheet. (Post E Rehmi, Agarwal Ankur, Pawar Udai, and Gershenfeld Neil, Scalable Interactive Surfaces via Charge Source Tomography, 2nd International Conference on Open Collaborative Design of Sustainable Innovation. December 1-2, 2002, Bangalore, India; Strachan John Paul, Instrumentation and Algorithms for Electrostatic Inverse Problems, Master's Thesis, Massachusetts Institute of Technology, Cambridge, MA, 2001.)
　
The CST enables an interactive surface to be used with bare hands without touching. Furthermore, the CST makes it possible to manufacture low-cost and mechanically robust user interface devices that are scalable and easy to embed into a variety of surface materials and shapes.
　
SUMMARY OF THE INVENTION 
　
A general object of the invention is to provide a cost-effective sensor product for touch-free interfaces. The sensor product may comprise several layers attached to each other.」（第２頁第６行〜第３頁第５行の記載。）（当審訳：いずれの知的環境でも重要な構成要素はユーザインターフェースである。キーボード、マウス、タッチパッド、およびタッチスクリーンなどのユーザインターフェースはすべて、利点と欠点を有する。ユーザインターフェース装置のほとんどは、一般に比較的脆弱かつ高価であり、広面積に対する拡張性が限定され、屋外や過酷な環境での使用に対する適応性に欠ける。チャージソース・トモグラフィ（CST）は、ユーザと平面もしくは曲面との間の相互作用を検出する方法であり、その平面もしくは曲面には、電界を形成できる柔軟な抵抗シートを追加することで検出性能を与える。CSTを基本としたユーザインターフェース装置は、抵抗シート、外縁電極、および電流／電圧コントローラを有する。作動時、コントローラは抵抗シートの外縁部の数カ所に電圧パターンを印加し、その結果発生した電流を測定する。ユーザは、抵抗シートのある領域に局所化された静電負荷としてこのシステムに出現する。（ポスト・イー・レーミ、アガワル・アンクル、パワル・ウダイ、ジャーシェンフェルド・ニール、「チャージソース・トモグラフィによる拡張性相互作用面」、継続的技術革新に関する開かれた共同設計についての第2回国際会議、2002年12月1日〜2日、インド国バンガロール：ストラッチャン・ジョン・ポール、「静電反転問題に向けた計測器およびアルゴリズム」、修士論文、マサチューセッツ工科大学、マサチューセッツ州ケンブリッジ、2001年）CSTによって、相互作用面は、触れることなく素手で使用できるようになる。さらに、CSTによって、低コストで機械的に頑丈なユーザインターフェース装置の製造が可能になる。そのユーザインターフェース装置は拡張性があり、様々な面材料および面形状に容易に組み込める。
　
【発明の概要】
　
　本発明の全体的な目的は、コスト効率の高い、非接触式インターフェース用のセンサ製品を提供することである。センサ製品は、互いに取り付けられた複数の層を有する。）
　
ｃ）「This invention is not limited to the CST-based user interfaces, but may also be applied to similar sensor technologies, such as capacitive sensors and electrical impedance tomography.
　
A characteristic feature of the products in accordance with the present invention is a layered structure that comprises conducting sensor elements, or a resistive sheet and peripheral electrodes as an alternative structure. Optional features are that said layered structure also comprises conductors between the electrically conductive areas and the output and protective layers.
　
The sensor product of the invention can be used, for example, for user- computer interfaces
In connection with the user-computer interfaces, the sensor product can be a substitute for
a touch screen
The sensor product can be hidden
on
displays
　
本発明による製品の独自の特徴は、導電性センサ素子、あるいは他の構造として抵抗シートおよび外縁電極を有する層化構造体にある。任意選択の特徴は、前記層化構造体がまた、導電領域と出力部との間に導体ならびに保護層を有することである。 
　
本発明の
センサ製品は、例えば、ユーザとコンピュータとの間のインターフェース用に、
使用することができる。
ユーザとコンピュータとの間のインターフェースに関して、センサ製品は、
タッチスクリーンの代替品としてもよい
センサ製品は、
ディスプレイ
上
に隠すことができる
　
ｄ）「
The sensor product of the invention comprises a substrate, an output, at least one electrically conductive area on the surface of the substrate and at least one conductor between the at least one electrically conductive area and the output.
The substrate is a sheet-like material, or a film. The substrate comprises plastic material, or fibrous material in a form of a nonwoven fabric, fabric, paper, or board. Suitable plastics are, for example, plastics comprising polyethyleneterephtalate (PET), polypropylene (PP), or polyethylene (PE). The substrate is preferably substantially flexible in order to conform with other surfaces on which it is placed. Besides one layer structure, the substrate can comprise more layers attached to each other. The substrate may comprise layers that are laminated to each other, extruded layers, coated or printed layers, or mixtures of those.
　
The sensor product is provided with an output in order to make it possible to connect the output to control electronics. Measurement voltages and control output currents can be fed through the output. In practice the output can comprise conductors next to each other. A standard connector used in common electronic applications (e.g. Crimpflex(R)（当審注：(R)は丸付きＲを置き換えたものである。）, Nicomatic SA, France) can be added to the output.
　
At least one electrically conductive area and at least one conductor between the electrically conductive area and the output is formed on the surface of the substrate. According to one embodiment of the invention, 
the sensor product comprises an electrically conductive area which includes a resistive sheet and at least one peripheral electrode on a flexible substrate.
　
The resistive sheet is preferably a rectangular area formed on the surface of the substrate. The term resistive refers to the fact that the resistive sheet typically possesses a lower electrical conductivity than the electrodes and the conductors. The resistive sheet has an electrical resistance in a range between 100 kΩ and 10 MΩ, preferably in a range between 0.9 MΩ and 1.1 MΩ. The resistance value is measured between electrodes which are placed on the opposite sides of the rectangle which forms the resistive sheet (HP 34401 A multimeter, T=23℃, RH=50%, U=1.8V). In other words, the resistance value must be in the predetermined range independent from the size of the resistive sheet, and by adjusting the raw materials of the resistive sheet the resistance value can be adjusted to a desired level.
　
The resistive sheet comprise electrically conductive material
When a transparent sensor product is desired, electrically conductive materials like ITO (indium tin oxide),
or carbon nanotubes can be used.
The same electrically conductive materials also apply to the electrodes and the conductors.
センサ製品は、基板、出力部、基板表面の少なくとも1つの導電領域、および、この少なくとも1つの導電領域と出力部との間の少なくとも1つの導体を有する。
　基板は、シート状材料またはフィルムとする。基板は、プラスチック材料、または不織布、織物、紙、もしくはボードの形態の繊維質材料からなる。適切なプラスチックには、例えば、ポリエチレンテレフタレート（PET）、ポリプロピレン（PP）、またはポリエチレン（PE）を含むプラスチックがある。基板は、基板が置かれる相手面に合うように十分に柔軟であるのが望ましい。基板は、1層構造の他に、互いに被着されたさらに多くの層を有することができる。基板は、互いに張り合わせた層、押し出し層、被覆もしくは印刷層、またはそれらの組合せ物を有することができる。
　
　センサ製品は、出力を制御電子機器に接続できるようにするために出力部を設けられる。測定電圧および制御出力電流は、出力部を経由して供給される。実際には、出力部は互いに隣り合う導体を有することができる。通常の電子用途で使用される標準コネクタ（例えば、クリンプフレックス（登録商標）、ニコマチックSA社、フランス国）を出力部に追加してもよい。
　
　少なくとも1つの導電領域ならびに導電領域と出力部との間の少なくとも1つの導体が基板の表面に形成される。本発明の1つの実施形態によれば、
センサ製品は、フレキシブル基板上に抵抗シートおよび少なくとも1つの外縁電極を含む導電領域を有する
　
　抵抗シートは、基板の表面に形成された方形領域であるのが好ましい。「抵抗」という用語は、抵抗シートが、通常、電極および導体より導電率が低いという事を表す。抵抗シートは、100kΩから10MΩの範囲の、好ましくは、0.9MΩから1.1MΩの範囲の電気抵抗を有する。抵抗値は、抵抗シートを形成する方形体の両側に置かれた電極間で測定する（ヒューレットパッカード社製34401 Aマルチメータ、温度=23℃、相対湿度=50%、U=1.8V）。言い換えると、抵抗値は、抵抗シートの寸法とは無関係に所定の範囲内になくてはならず、抵抗シートの原料を調整することによって、所望のレベルに調整することができる。
　
　
抵抗シートは導電性材料を含み
透明のセンサ製品が望ましい場合には、ITO（インジウムスズ酸化物）、
またはカーボンナノチューブなどの導電材料を使用することができる
同じ導電性材料が電極および導体にも適用される
　
ｅ）「Fig. 1a shows a top view and Fig. 1b shows a cross section of a sensor product 7 (section A-A). Electrodes 2 and conductors 3 are formed on a surface of a substrate 6. The conductors 3 connect the electrodes 2 via an output 8 to a connector 5. A resistive sheet 4 overlaps the electrodes 2. A protecting layer 1 is formed on top of the substrate in such a manner that the electrodes 2, conductors 3 and the resistive sheet remain between the substrate 6 and the protecting layer 1.」（第８頁第９〜１５行の記載。）（当審訳：図1aはセンサ製品7の平面図を示し、図1bはセンサ製品7の断面図（A−A断面）を示している。電極2および導体3は基板6の表面に形成されている。導体3は出力部8を介して電極2をコネクタ5に接続している。抵抗シート4は電極2に重なっている。保護層1は、電極2、導体3および抵抗シートが基板6と保護層1の間に置かれるような形で基板の上面に形成されている。）
　
ｆ）図１ａに、
抵抗シート４に重なって設けられた電極２を、距離を隔てて４つ設置
　
　してみると、引用例１には以下の発明（以下「引用例１記載の発明」という。）が記載されている。
　「センサ製品は、基板、出力部、基板表面の少なくとも1つの導電領域、および、この少なくとも1つの導電領域と出力部との間の少なくとも1つの導体を有し、基板上に抵抗シート及び少なくとも1つの外縁電極を含む導電領域を有するものであり、抵抗シートは導電性材料を含み、透明のセンサ製品が望ましい場合には、ＩＴＯまたはカーボンナノチューブなどの導電材料を使用することができ、同じ導電性材料が電極および導体にも適用され、抵抗シートに重なって設けられた電極を、距離を隔てて４つ設置した、ユーザとコンピュータとの間のインターフェイス用に使用することができる、タッチスクリーンなどのセンサ製品」
　
　当審の拒絶理由で引用した本願の優先日前に頒布された中山喜萬，ＣＮＴの糸状長尺化とシート化技術の開発，ナノカーボンハンドブック，株式会社エヌ・ティー・エス，２００７年７月１７日，ｐ．２６１−２６６（以下「引用例２」という。）には、図面とともに以下の事項が記載されている。
　
ｇ）「３　ナノチューブの合成
　ＣＮＴの糸やシートを作るために使われるブラシ状ＣＮＴは化学気相合成（ＣＶＤ）法により合成され多層のものである。基板はシリコンウェハー、その上に触媒として４〜５ｎｍの鉄薄膜を塗布してある。これを反応管内に設置し、大気圧のＨｅ雰囲気中で７００℃程度の温度まで昇温する。そこに原料ガスとしてアセチレンを導入する。数秒から十分程度で１００〜４００μｍの高さのブラシ状ＣＮＴがシリコン基板上に合成される。」（２６２頁左欄の記載。）
　
ｈ）「４　ナノチューブの糸およびシートの引き出し
　ブラシ状ＣＮＴの端部分をつまみ基板表面に平行方向に引張ることにより、つまみ出した幅のＣＮＴシートが引き出される。ブラシ状ＣＮＴでは基板表面に垂直にＣＮＴが配向しているのに対し、後者の引き出されたシートではＣＮＴがシート面内にあり、引き出し方向に配向していることに注意していただきたい。引き出されたシートに撚りを掛けると糸になる。
　Ｊｉａｎｇら5)は、基板から引きはがしたブラシ状ＣＮＴの束から糸やシートを引き出した。一方、中山ら6)およびＺｈａｎｇら7)は基板上にあるブラシ状ＣＮＴから引き出している。プロセスの安定性を考えると後者の基板上のＣＮＴから引き出す方が優れている。
　図２に基板上のブラシ状ＣＮＴから撚り掛けしながら引き出している様子を示す19)。ブラシ状ＣＮＴの端から基板表面に平行に１６０μｍの長さのＣＮＴが連なって引き出され、撚り掛けによって〜７μｍの太さの１本の糸として取り出されている20)。・・・どんどん紡ぐと、ブラシ状ＣＮＴの束の端が奥に後退していく。１ｃｍの奥行きを持つＣＮＴの束から７ｍの糸が紡ぎとられている21)。」（２６２頁右欄の記載。）
　
ｉ）「６　ナノチューブシートの特性
　ブラシ状ＣＮＴから幅広で引き出すとその幅のシートが引き出せる・・・ＣＮＴシート内では、引き出し方向にＣＮＴが配向している。・・・また、このシートをガラス基板上に配置してエタノール等の液を滴下乾燥させることにより、厚みを５０ｎｍ、密度を０．５ｇ／ｃｍ３にまで高めることができる。このとき、シートのガラス基板への接着力は非常に強い。
　ＣＮＴシートの引張り強度として０．１２〜０．１４Ｎ／ｔｅｘ、液滴下乾燥により密度向上したもので０．４７Ｎ／ｔｅｘ、また密度向上したシートを直角方向に重ね合わせたもので０．１８Ｎ／ｔｅｘの値を持つ8)。」（第２６４頁右欄の記載。）
　
ｊ）「ＣＮＴシートは４００ｎｍ〜２μｍの広範囲の光の波長に対して透過性が良い。また、偏光した光に対しては光学異方性を示す。・・・
　ＣＮＴシートの引き出し方向のシート抵抗として５５０〜７００Ωが報告されている8)。この値は基板上に貼り付ける前と後でそれほど大きく変化しない。またシート面内で引き出し方向に比べ垂直な方向では抵抗が１０〜２０倍高く、電気的にも異方性を持つ。先の透明性を考慮すれば、透明導電膜としての用途も視野に入る。」（第２６５頁左欄の記載。）
　なお、「ＣＮＴ」が、「カーボンナノチューブ」を意味していることは明らかである。
　
３．対比
　
　本願発明と引用例１記載の発明とを対比する。
　
（１）引用例１記載の発明の「基板」は、本願発明の「基板」に相当する。
　
（２）引用例１記載の発明の「抵抗シート」は、「基板上」に設けられ、「透明のセンサ製品」の場合「ＩＴＯまたはカーボンナノチューブなどの導電材料を使用」されるものであるから、本願発明の「前記基板に設置された透明な導電構造体」に相当する。
　
（３）引用例１記載の発明の「電極」は、「抵抗シートに重なって設けられ」「距離を隔てて４つ設置した」ものであるから、本願発明の「それぞれ前記透明な導電構造体に接続され、相互に所定の距離で隔てて設置された少なくとも二つの電極」に相当する。
　
（４）引用例１記載の発明の「電極」は「抵抗シート」の導電性材料である「ＩＴＯまたはカーボンナノチューブ」と「同じ導電性材料」が「適用」されるものであるから、本願発明の「前記二つの電極の少なくとも一方は、一つのカーボンナノチューブ構造体又は積層させた複数のカーボンナノチューブ構造体を含」むことと、「前記二つの電極の少なくとも一方は、カーボンナノチューブを含」む点で一致しているといえる。
　
（５）引用例１記載の発明の「センサ製品」は、「ユーザとコンピュータとの間のインターフェイス用に使用することができる」「タッチスクリーンなど」であるから、本願発明の「タッチパネル」に相当する。
　
　したがって、両者は以下の一致点と相違点とを有する。
　
＜一致点＞
　
　「基板と、前記基板に設置された透明な導電構造体と、それぞれ前記透明な導電構造体に接続され、相互に所定の距離で隔てて設置された少なくとも二つの電極と、を含み、
　前記二つの電極の少なくとも一方は、カーボンナノチューブを含む、
タッチパネル。」
　
＜相違点１＞
　
　本願発明は、「電極」は「一つのカーボンナノチューブ構造体又は積層させた複数のカーボンナノチューブ構造体を含み、
　前記カーボンナノチューブ構造体が、複数のカーボンナノチューブフィルムからなり、
　前記カーボンナノチューブフィルムがカーボンナノチューブのみから成り、
　前記複数のカーボンナノチューブフィルムが、隙間がなく平行に並列し、
　一枚の前記カーボンナノチューブフィルムの長さは３０ｃｍである」のに対し、引用例１記載の発明は、「電極」に「カーボンナノチューブ」を使用することができると記載されるのみである点。
　
４．当審の判断
　
＜相違点１についての判断＞
　
　引用例２には、上記摘記事項ｇ）に記載された方法により合成されたブラシ状ＣＮＴを用いて、上記摘記事項ｉ）に「ブラシ状ＣＮＴから幅広で引き出すとその幅のシートが引き出せる・・・密度向上したシートを直角方向に重ね合わせた」、上記摘記事項ｊ）に「ＣＮＴシートは４００ｎｍ〜２μｍの広範囲の光の波長に対して透過性が良い。・・・先の透過性を考慮すれば、透明導電膜としての用途も視野に入る。」と記載されるように、ブラシ状カーボンナノチューブから引き出したシートを複数積層したものを透明導電膜として用いる技術が記載されている。
　ここで、引用例２に記載されたシートの製造方法は、本願の明細書【００２６】〜【００３３】に記載されたカーボンナノチューブフィルムの製造方法と同様のものであるから、引用例２に記載された上記シートは、「カーボンナノチューブのみから成」るものであり、本願発明の「カーボンナノチューブフィルム」に相当する。
　また、引用例２には、上記摘記事項ｇ）に「１００〜４００μｍの高さのブラシ状ＣＮＴがシリコン基板上に合成される」、上記摘記事項ｈ）に「ブラシ状ＣＮＴの端部分をつまみ基板表面に平行方向に引張ることにより、つまみ出した幅のＣＮＴシートが引き出される・・・引き出されたシートに撚りを掛けると糸になる。・・・ブラシ状ＣＮＴの端から基板表面に平行に１６０μｍの長さのＣＮＴが連なって引き出され、撚り掛けによって〜７μｍの太さの１本の糸として取り出されている・・・どんどん紡ぐと、ブラシ状ＣＮＴの束の端が奥に後退していく。１ｃｍの奥行きを持つＣＮＴの束から７ｍの糸が紡ぎとられている」と記載されるように、「ナノチューブの糸およびシートの引き出し」の具体例として、１６０μｍの長さのカーボンナノチューブが連なって７ｍの糸を紡ぐことが記載されており、引用例２に記載された上記シートは、必要とされる任意の長さのものが製造可能なものであるから、一枚の「カーボンナノチューブフィルムの長さ」を３０ｃｍとすることは、必要に応じ適宜決定し得る設計事項にすぎない。
　また、所望の面積のフィルムを得るために、複数のフィルムを隙間なく平行に並列して配列することは、必要に応じ適宜為し得る設計事項にすぎず、そのようにして得た所望の面積のカーボンナノチューブフィルムは複数のカーボンナノチューブフィルムから成るから、カーボンナノチューブ構造体といえる。
　したがって、引用例１記載の発明に引用例２に記載された技術を適用して、タッチパネルの「電極」を、「一つのカーボンナノチューブ構造体又は積層させた複数のカーボンナノチューブ構造体を含み、
　前記カーボンナノチューブ構造体が、複数のカーボンナノチューブフィルムからなり、
　前記カーボンナノチューブフィルムがカーボンナノチューブのみから成り、
　前記複数のカーボンナノチューブフィルムが、隙間がなく平行に並列し、
　一枚の前記カーボンナノチューブフィルムの長さは３０ｃｍである」ものとすることは、当業者が容易に為し得たことである。
　
　よって、本願発明は、引用例１記載の発明及び引用例２に記載された技術に基づいて当業者が容易に為し得たものである。
　
　そして、本願発明が奏する作用、効果についてみても、引用例１記載の発明及び引用例２に記載された技術から当業者が予想できる程度のものである。
　
５．むすび
　
　以上のとおり，本願発明は、引用例１に記載された発明及び引用例２に記載された技術に基づいて、当業者が容易に発明をすることができたものであるから、特許法第２９条第２項の規定により特許を受けることができない。
　
　よって、結論のとおり審決する。